(57)【特許請求の範囲】
【請求項１】
床面と接するベース部と、
手摺部を備え前記ベース部に立設された支柱部と、
を備える立ち上がり補助具において、
前記ベース部の裏面に設けられた掛止部におもりがネジ止めされたこと
を特徴とする立ち上がり補助具。
【請求項２】
請求項１に記載の立ち上がり補助具において、
前記おもりは、板状であることを特徴とする立ち上がり補助具。
【請求項３】
請求項１または２に記載の立ち上がり補助具において、
前記ベース部には、その周縁部に床面の方向に向かう傾斜面が設けられ、これによって前記ベース部の裏面と前記床面との間に形成されたスペース内に、前記おもりが収容されたことを特徴とする立ち上がり補助具。
【発明の詳細な説明】
【技術分野】
【０００１】
この発明は、主に介護・福祉の分野で使用される高齢者や要介護支援者らの立ち上がり補助具に関するものである。
【背景技術】
【０００２】
高齢者や要介護支援者らが、日常生活において自力で立ち上がる際の補助具として、またリハビリテーションの道具として、立ち上がる際のバランスを補助しあるいは足腰の負担を軽減する立ち上がり補助具が広く用いられている。
【０００３】
従来の立ち上がり補助具としては、図１３に示すように、中空のホルダ部２１０が立設されたベース部２００と、手摺部４００を備えベース部２００のホルダ部２１０に挿着された支柱部３００と、を備えた立ち上がり補助具１００がある（特許文献１参照）。この立ち上がり補助具１００が使用時に倒れないよう安定させる方法として、従来は、ベース部２００のホルダ部２１０に、図１４に示すような円柱状のおもり５００を外嵌する方法が採られていた。（非特許文献１参照）
【先行技術文献】
【特許文献】
【０００４】
【特許文献１】実用新案登録第３０３４５３６号
【非特許文献】
【０００５】
【非特許文献１】矢崎化工株式会社、“おもしくん  CKA-J”、[online]、2001年、矢崎化工株式会社、[平成23年5月24日検索]、インターネット<URL:http://www.kaigo-web.info/kensaku/rental/cka-j.html>
【発明の概要】
【発明が解決しようとする課題】
【０００６】
しかしながら、上記従来の技術では、おもり５００がベース部２００の上に位置することになるため、使用者が誤って足先をおもり５００に引っ掛けてしまうことがあり、おもり５００が使用者の立ち上がり動作の邪魔になる場合があった。
【０００７】
また、ホルダ部２１０に支柱部３００の下端部を固定しているネジ３１０がおもり５００によって覆われてしまうことから、ネジ３１０を脱着する度に重たいおもり５００を上方に持ち上げる必要があるため、組立・分解時の作業性が悪かった。
【０００８】
上記問題点に鑑み、本発明の解決しようとする課題は、立ち上がり動作の邪魔にならず、また組立・分解時の作業性に優れた、おもりを備えた立ち上がり補助具を提供することである。
【課題を解決するための手段】
【０００９】
上記課題を解決するため、本発明に係る立ち上がり補助具は、床面と接するベース部と、手摺部を備え前記ベース部に立設された支柱部と、を備える立ち上がり補助具において、前記ベース部の裏面に設けられた掛止部におもりがネジ止めされたことを特徴とする
この特定事項により、おもりがベース部の上にないため、使用者が誤って足先をおもりに引っ掛けてしまう虞がない。したがって、おもりが立ち上がり動作の邪魔になることはない。また、ベース部に対する支柱部の脱着作業時におもりが邪魔になることもない。ベース部の裏面に設けられた掛止部におもりがネジ止めされたものであるから、ベース部に対するおもりの脱着作業が容易となる。
【００１０】
前記おもりは、板状であってもよい。この場合、おもりを含めたベース部全体の厚みが厚くなってしまうことを回避することができるとともに、おもりが持ち易くなるためおもりの脱着作業が簡単になるのに加えて、おもりを安価に製作することができる。さらに、おもりの重量をベース部全体に均一に作用させることができ、その結果、立ち上がり補助具が倒れにくくなり使用時の事故を防止できる。
【００１１】
さらに、上記の立ち上がり補助具において、前記ベース部には、その周縁部に床面の方向に向かう傾斜面が設けられ、これによって前記ベース部の裏面と前記床面との間に形成されたスペース内に、前記おもりが収容されたものであってもよい。
【００１２】
この場合、立ち上がり補助具を床面に設置した状態でおもりはベース部に覆い隠されるため、おもりによって立ち上がり補助具全体の意匠が損なわれる虞がない。
【発明の効果】
【００１３】
本発明に係る立ち上がり補助具は、立ち上がり補助具を安定させるために取り付けるおもりが、立ち上がり動作や、立ち上がり補助具の組立・分解作業の邪魔にならない。
【図面の簡単な説明】
【００１４】
【図１】本発明に係る立ち上がり補助具の実施形態を示す斜視図である。
【図２】図１に示す立ち上がり補助具のおもりを示す底面図及び側面図である。
【図３】図１に示す立ち上がり補助具における掛止部の配設形態の一例を示す要部底面図及び側面図である。
【図４】図２に示すおもりの装着手順を示すベース部の要部底面図である。
【図５】図２に示すおもりの装着完了状態を示すベース部の要部底面図である。
【図６】図１におけるＡ−Ａ線に沿う断面図である。但し、断面を示すハッチングは省略している。
【図７】図６におけるＢ部分の拡大図である。
【図８】図１に示す立ち上がり補助具のベース部の平面図である。
【図９】実施形態についてのおもりの変形例を示す底面図及び側面図である。
【図１０】本発明に係る立ち上がり補助具の実施形態についての変形例を示す斜視図である。
【図１１】図１０に示す立ち上がり補助具のベース部を示す平面図である。
【図１２】本発明に係る立ち上がり補助具の実施形態についての他の変形例を示す正面図である。
【図１３】従来の立ち上がり補助具の斜視図である。
【図１４】従来の立ち上がり補助具に使用されるおもりの斜視図である。
【発明を実施するための形態】
【００１５】
以下、本発明の実施形態について、図１乃至図１０を参照して説明する。
【００１６】
本発明に係る立ち上がり補助具１は、図１に示すように、床面と接するベース部２と、手摺部４を備えベース部２に立設された支柱部３とを備えたものであって、ベース部２の裏面におもり５を備えたものである。
【００１７】
ベース部２は、立ち上がり補助具１を床面に定着させる機能を有する。本実施形態のベース部２の周端部には床面の方向に向かう傾斜面２４が設けられており、これによってベース部２の中央部を床面から浮かせることで、おもり５、後述する掛止部６及び固定金具１２をベース部２の裏面に取り付けるスペースが確保されている。このようになるベース部２は、立ち上がり補助具１の転倒による事故を回避するために、重心が低く床面との接触面積が大きくされている。このベース部２を構成するベース板２１としては、金属製の板や強度の高い合成樹脂製の板を用いることが考えられる。上記した傾斜面２４の周端縁部には、例えばゴム製や合成樹脂製の緩衝材２２が装着されており、これによって、床面の傷の発生防止と使用者の安全確保とが図られている。
【００１８】
支柱部３は、手摺部４を支持するものである。支柱部３は、図１に示すように、一本のパイプを中央で湾曲させたものでもよいし、湾曲させたパイプを複数本立設し、それらを横桟で連結したものでもよい。手摺部４の本数は１本でも、図示例のように複数本でもよい。
【００１９】
ベース部２に対する支柱部３の立設構造としては、図６及び図７に示すように、例えば金属製パイプからなるホルダ部１１と固定金具１２とを用いたものが考えられる。ベース部２のベース板２１には、図８に示すように、複数の連結孔２３が形成されており、これら連結孔２３に、それぞれベース板２１の下方から雄ネジ部３１を有する固定金具１２が挿通される一方、ベース板２１の上方から上記雄ネジ部３１と螺合する雌ネジ溝３２を下端部内周面に有するホルダ部１１の下端部開口部が、ベース板２１の上面から突出している固定金具１２に被せられるとともに、ホルダ部１１の雌ネジ溝２１と固定金具１２の雄ネジ部３１とが螺合される。これによって、ベース板２１がホルダ部１１と固定金具１２の突出部１２ａとで挟持された状態になる。こうして支柱部３を支持するホルダ部１１がベース板２１に固定される。なお、固定金具１２の下面中心には六角レンチが挿入される六角孔３３が形成されており、ホルダ部１１との螺合作業がし易いように図られている。以上のようにしてベース板２１に固定されたホルダ部１１内に支柱部３の下端部を上方から挿入するとともに固定ビス１１ａをホルダ部１１の外側から支柱部３の下端部に向けて螺入し該下端部をホルダ部１１に固定することで、支柱部３がベース部２に立設される。なお、ホルダ部１１の固定手段は上記のようなものに限らず、ベース板２１にホルダ部１１の下端部を溶接により取り付けてもよく、また、ホルダ部１１を排して支柱部３の下端部をベース部２のベース板２１に直接溶接してもよい。
【００２０】
ここで、上記の例のように、固定金具１２を用いた場合は、固定金具１２の下面に、例えばゴム板３４などの弾性材を接着し、ホルダ部１１内に支柱部３が挿入される際、固定金具１２と支柱部３との間に生じる衝撃を和らげるようにするとよい。
【００２１】
手摺部４は、使用者が立ち上がる際につかむ手摺としての機能を有する。手摺部４は、つかみ易い形状のものであればよく、横桟に限らず縦梁でもよい。さらに、手摺部４は、人が握り易い太さのものとされる。手摺部４に適当な部材の例として、直径３cm程の円筒金属製パイプが挙げられる。手摺部４を支柱部３に連結支持させるには、溶接や樹脂性ジョイント４１を用いるとよい。
【００２２】
おもり５は、立ち上がり補助具１のベース部２におもりとして作用し、立ち上がり補助具１を倒れにくくする機能を有する。本実施形態におけるおもり５は、図２に示すように、板金から切り出された上板５１と下板５２とから構成されている。上板５１はベース部２のベース板２１とほぼ相似形状の長方形を呈しており、下板５２は上板５１よりも短辺が短い長方形を呈している。下板５２は上板５１と相互の短辺中央同士が重なった状態で溶接され一体化されている。上板５１の各長辺にはそれぞれ矩形の切欠５３が２つずつ所定間隔を隔てて形成されている。これら切欠５３は、いずれも下板５２と重ならない領域に設けられている。また、各切欠５３の近傍には、それぞれ上板５１の長辺に沿う方向に隣接してネジ孔５６が設けられている。
【００２３】
ベース部２のベース板２１の裏面には、上記したおもり５を掛止する掛止部６が設けられている。掛止部６は、図３に示すように、ベース板２１の裏面に取り付けられる取着部６１と、おもり５と掛止される掛止爪部６２とから構成されており、掛止爪部６２には、おもり５装着時におもり５のネジ孔５６と重合するネジ孔６３が設けられている。掛止部６は、おもり５の上記した切欠５３と対応するよう、且つ、各掛止爪部６２の先端がベース板２１の内方を向くようにしてベース板２１の裏面に配設されている。各掛止爪部６２とベース板２１との間隙寸法は、おもり５の上板５１の厚みと略等しく設定されており、これによっておもり５がその上板５１の縁部において掛止爪部６２とベース板２１の裏面とでしっかりと挟持される。このようになる掛止部６としては、例えば、板金から切り出した金属片をクランク状に屈曲することにより形成されたものが用いられ、ベース板２１には例えばスポット溶接により溶着される。なお、掛止部６の形状や材質等は上記したものに限定されない。例えば、掛止部６を、弾性を有するバネ板材で形成すれば、おもり５を掛止部６の弾性復元力でベース板２１の裏面に圧着状態で固定することができる。
【００２４】
次に、おもり５を掛止部６によりベース部２の裏面に掛止する手順について説明する。
【００２５】
まず、ベース部２をその裏面が上方を向くようにして床面上にベース部２を置き、図４に示すように、おもり５をその上板５１の方がベース部２側に位置するようにして切欠５３と掛止部６の掛止爪部６２とを一致させ、おもり５の切欠５３内に掛止爪部６２を通過させ、おもり５の上板５１の上面をベース部２の裏面に密着させる。
【００２６】
次に、その状態を保ったまま、図５に示すように、おもり５を、そのネジ孔５６が掛止爪部６２のネジ孔６３と重合する方向にスライドさせる。そして、両ネジ孔５６，６３同士が重合したら、掛止爪部６２のネジ孔６３からおもり５のネジ孔５６に向けて止めネジ５５を螺入し、これによっておもり５のベース部２への掛止が完了する。図６は、その状態を示す部分断面図である。
【００２７】
上記した実施形態では、おもり５は２枚の板材（上板５１及び下板５２）から構成されたものであったが、おもり５は、そのようなものに限られず、例えば、図９に示すような一枚の板から構成されたものであってもよい。すなわち、これらの図に示されたおもり５ａは、ベース部２のベース板２１と略相似形状の長方形を呈する厚めの金属板の各長辺にそれぞれ２箇所に亘って、掛止部６と掛合する段差部５７が形成されるとともに、これら段差部５７にそれぞれ矩形の切欠５８とネジ孔５９とが形成されたものである。なお、切欠５８とネジ孔５９の配設要領は上記の実施形態におけるおもり５のものと同様である。
【００２８】
上記した実施形態では、おもり５をベース部２の裏面に備える手段として、掛止部６による掛止手段を用いたが、このような手段に限られず、例えば、おもり５をベース部２に溶接するものでもよい。
【００２９】
上記した実施形態では、ベース板２１に設けられた連結孔の個数は２個であったが、例えば、図１０に示すように、４個であってもよい。図１０に示す立ち上がり補助具は、図１１に示すベース部２に設けられた４個の連結孔２３に裏面から固定金具１２を挿通し、固定金具１２の雄ネジ部３１とホルダ部１１の雌ネジ溝３２とを螺合させることで、ベース部２に４個のホルダ部１１を立設させた例である。この例では、各ホルダ部１１に、主支柱部３ａと副支柱部３ｂとからなる支柱部３の脚が挿入されている。ベース部２の中央部に位置する２個のホルダ部１１には、一本のパイプを中央で湾曲させた主支柱部３ａが立設されるとともに、この主支柱部３ａのパイプ間には横桟である手摺部４が、例えば、樹脂性ジョイント４１を用いて連結されている。ベース部２の端部に位置する２個のホルダ部１１には、主支柱部３ａの直線部の高さより低く、相互に同じ長さの２本のパイプ３５からなる副支柱部３ｂがそれぞれ立設されている。この副支柱部３ｂの各上端と、主支柱部３ａとは横桟３６で連結されている。横桟３６は、支柱部３全体の強度を確保する機能だけでなく、手摺としての機能も有する。該連結には、例えば、樹脂性ジョイント４２を用いるとよい。
【００３０】
なお、おもり５は、上記した実施形態のように単品のものに限られず、複数の部品から構成されたものであってもよい。
【００３１】
また、上記した実施形態では、ベース部２は、周端部に床面の方向に向かう傾斜面２４が設けられることで、その裏面側におもり５等を取り付ける空間が形成されたものであったが、これに限らない。例えば、図１２に示すように、ベース部２は、上記したような傾斜面２４を有しない、全体が平板であるベース板２１からなるものであってもよい。その場合、平板であるベース板２１の裏面に平板からなるおもり５が接着又は溶着され、おもり５の下面に突起物が現れないようにするとよい。
【符号の説明】
【００３２】
１      立ち上がり補助具
２      ベース部
３      支柱部
５、５ａ、５ｂ、５ｃ  おもり
６      掛止部
２４    傾斜面
５５    止めネジ
【図１】
0005475090.tif 000002
【図２】
0005475090.tif 000003
【図３】
0005475090.tif 000004
【図４】
0005475090.tif 000005
【図５】
0005475090.tif 000006
【図６】
0005475090.tif 000007
【図７】
0005475090.tif 000008
【図８】
0005475090.tif 000009
【図９】
0005475090.tif 000010
【図１０】
0005475090.tif 000011
【図１１】
0005475090.tif 000012
【図１２】
0005475090.tif 000013
【図１３】
0005475090.tif 000014
【図１４】
0005475090.tif 000015